(57)【要約】【課題】枠体に対してハウジングを正規の組み付け状態に保持する【解決手段】カバー５０を枠体３０に取り付けた状態では、カバー５０の押え部５２が第１コネクタハウジング７０の係止部７５に係止することにより、第１コネクタハウジング７０の傾動を規制している。さらに、カバー５０の押え部５２と規制部５３とが第１コネクタハウジング７０に対して略直交する２方向に係止し、また押え部５２と枠構成体６０の当接部６５とが第１コネクタハウジング７０を２箇所で同じ方向に押え込んでいる。加えて、第１コネクタハウジング７０は、枠構成体６０の受け部６８によって、押え部５２とは逆方向への変位を受け止められるようになっている。【選択図】図２
2006180686.tif 000002
【特許請求の範囲】
【請求項１】
枠体と、この枠体にその内部空間を覆うように取り付けられるカバーとを備えたケース内に、回路構成体を収容してなり、前記枠体には端子金具を備えたコネクタハウジングを取り付けたものにおいて、
前記コネクタハウジングには係止部が設けられ、
前記カバーには、前記枠体に取り付けられた状態において前記係止部に係止することで、前記コネクタハウジングが前記枠体への取付部を支点として傾動することを規制可能な押え部が設けられていることを特徴とする電気接続箱。
【請求項２】
前記カバーには、前記コネクタハウジングに対し、前記押え部が前記係止部に係止する方向と略直交する方向の変位を規制する規制部が設けられていることを特徴とする請求項１に記載の電気接続箱。
【請求項３】
前記枠体には、前記コネクタハウジングに対し、前記押え部が前記係止部に係止する方向と同じ方向から当接する当接部が設けられていることを特徴とする請求項１又は請求項２に記載の電気接続箱。
【請求項４】
前記枠体には、前記コネクタハウジングに対し、前記押え部が前記係止部に係止する方向とは逆方向から当接する受け部が設けられていることを特徴とする請求項１〜請求項３のいずれかに記載の電気接続箱。
【発明の詳細な説明】
【技術分野】
【０００１】
本発明は、電気接続箱に関するものである。
【背景技術】
【０００２】
自動車に搭載される電気接続箱として、回路構成体をケースに収容した構造のものがある。回路構成体は、回路基板と、回路基板に沿って配索したバスバーと、回路基板に実装されるリレー等のスイッチング部材とを備えて構成される。回路基板の周縁部からは、バスバーの端部を曲げ加工して形成した端子部が突出されている。一方、ケースは、回路基板の周縁に沿って回路構成体を包囲するように配置される枠体を有する。枠体にはヒューズ収容部が設けられ、ヒューズ収容部においては、バスバーの端子部と出力用端子金具の一方の接続部とがヒューズによって接続されている。尚、電気接続箱としては、特許文献１に開示されているもの等がある。
【特許文献１】特開２００３−１６４０３９公報
【発明の開示】
【発明が解決しようとする課題】
【０００３】
上記のような電気接続箱においては、枠体にハウジングを組み付け、このハウジングによって出力用端子金具の他方の接続部を保持し、ハウジングに対してハーネス側コネクタを嵌合することで電力を外部へ供給する構造をとることができる。
【０００４】
このような構造においては、出力用端子金具が枠体（ヒューズ収容部）とハウジングの両方に保持されているため、枠体に対してハウジングが正しい向き及び位置関係で組み付けられないと、出力用端子金具に変形を生じさせることが懸念される。
【０００５】
本発明は上記のような事情に基づいて完成されたものであって、枠体に対してハウジングを正規の組み付け状態に保持することを目的とする。
【課題を解決するための手段】
【０００６】
上記の目的を達成するための手段として、請求項１の発明は、枠体と、この枠体にその内部空間を覆うように取り付けられるカバーとを備えたケース内に、回路構成体を収容してなり、前記枠体には端子金具を備えたコネクタハウジングを取り付けたものにおいて、前記コネクタハウジングには係止部が設けられ、前記カバーには、前記枠体に取り付けられた状態において前記係止部に係止することで、前記コネクタハウジングが前記枠体への取付部を支点として傾動することを規制可能な押え部が設けられているところに特徴を有する。
【０００７】
請求項２の発明は、請求項１に記載のものにおいて、前記カバーには、前記コネクタハウジングに対し、前記押え部が前記係止部に係止する方向と略直交する方向の変位を規制する規制部が設けられているところに特徴を有する。
【０００８】
請求項３の発明は、請求項１または請求項２に記載のものにおいて、前記枠体には、前記コネクタハウジングに対し、前記押え部が前記係止部に係止する方向と同じ方向から当接する当接部が設けられているところに特徴を有する。
【０００９】
請求項４の発明は、請求項１〜請求項３のいずれかに記載のものにおいて、前記枠体には、前記コネクタハウジングに対し、前記押え部が前記係止部に係止する方向とは逆方向から当接する受け部が設けられているところに特徴を有する。
【００１０】
なお、請求項３および請求項４の発明において、当接とは、前記枠体に前記コネクタハウジングが取り付けられた状態で、前記枠体に設けられた前記当接部もしくは前記受け部が、前記コネクタハウジングに対し接触していてもよく、もしくは前記コネクタハウジングがわずかに傾動するだけで接触するくらいの隙間を残して前記コネクタハウジングから離れていてもよい。ここで、許容される前記コネクタハウジングのわずかな傾動とは、この傾動により前記コネクタハウジングに備えられている前記端子金具が変形し、ひいては破損してしまうおそれがなく、また、前記コネクタハウジングが前記ケース内に収容されている前記回路構成体に干渉してしまうおそれがない程度のものをいう。
【発明の効果】
【００１１】
＜請求項１の発明＞
カバーを枠体に取り付けた状態では、カバーの押え部がコネクタハウジングの係止部に係止することにより、コネクタハウジングが枠体への取付部を支点として傾動することが規制され、コネクタハウジングが枠体に対して正規の組み付け状態に保持される。
【００１２】
＜請求項２の発明＞
カバーの押え部と規制部とが、コネクタハウジングに対して略直交する２方向に係止するようにしたので、コネクタハウジングを枠体に対し、より確実に組み付け状態に保持することができる。
【００１３】
＜請求項３の発明＞
コネクタハウジングは、枠体の当接部とカバーの押え部とによって２箇所で同じ方向に押え込まれるようになっているので、コネクタハウジングの傾きが確実に防止される。
【００１４】
＜請求項４の発明＞
コネクタハウジングは、枠体の受け部によって、押え部とは逆方向への変位を受け止められるようになっているので、コネクタハウジングの傾きがより確実に防止される。
【発明を実施するための最良の形態】
【００１５】
以下、本発明を具体化した実施形態を図１〜図１８を参照して説明する。本実施形態の電気接続箱１は自動車等に搭載されて使用されるものであって、バッテリ（図示せず）とランプ、オーディオ等の図示しない電装品との間に介設され、バッテリから供給される電力を各電装品に分配・供給するとともに、これら電力供給の切り替え等の制御を行うものである。
【００１６】
図１および図２には、本実施形態における電気接続箱１の斜視図および側断面図を示した。以下、各構成部材において、図１の上側（カバー５０側）を表側、下側（枠本体３１側）を裏側、左手前側を下方、右奥側を上方とし、また、右手前側を右方、左奥側を左方として説明する。尚、図１においては、電気接続箱１は、その表側が上向きとなるように描かれているが、自動車等に搭載されるときには図１の右奥側が上側、左手前側が下側となる向きで車体に取り付けられる。
【００１７】
電気接続箱１は、回路構成体１０と、回路構成体１０を収容するケース２０とを備えて構成されている。
【００１８】
図３には、回路構成体１０の斜視図を示した。回路構成体１０は、回路基板１１と、回路基板１１の裏面（図における下面）に接着されているバスバー１２と、回路基板１１の表面側（図における上面側）に実装されているリレーなどのスイッチング部材１３とを備えて構成されている。回路基板１１は概ね方形をなし、その下縁のうち略左半分の領域は上端縁に対して斜めをなす傾斜縁部となっている。
【００１９】
回路基板１１の裏面に接着されているバスバー１２は、導電性に優れた金属板を打ち抜いて形成され、電力回路となる所定の導電路を形成している。このバスバー１２は、回路基板１１とほぼ整合した外形形状に形成され、その上縁および下縁には、外部回路接続用端子となる複数本の第１端子部１４Ａおよび複数本の第２端子部１４Ｂが突設されている。回路基板１１の上端縁に沿って並列している第１端子部１４Ａは、回路基板１１に対して略直角をなして表面側に立ち上がる支持部１５Ａと、この支持部１５Ａの立ち上がり端から上方（回路基板１１とは反対側）へ向けて回路基板１１とほぼ平行に延出する接続部１６Ａとから構成され、側方から見て略Ｌ字形をなしている。一方、回路基板１１の下端縁のうち傾斜縁部よりも右方の領域（上端縁と平行な領域）に沿って並列している第２端子部１４Ｂは、回路基板１１に対して略直角をなして表面側に立ち上がる支持部１５Ｂと、この支持部１５Ｂの立ち上がり端から下方（回路基板１１とは反対側）へ向けて回路基板１１とほぼ平行に延出する接続部１６Ｂとから構成され、側方から見て略Ｌ字形をなしている。
【００２０】
回路構成体１０を収容するケース２０は、図２に示すように、枠体３０と、枠体３０に対しその裏側の開口を塞ぐように固着されている放熱板４０と、枠体３０に対しその表面側（放熱板４０とは反対側）の開口を塞ぐように組み付けられているカバー５０とを備えている。
【００２１】
枠体３０は合成樹脂等の絶縁材料からなり、枠本体３１と、枠構成体６０との２部品を合体させて構成され、回路基板１１の周縁に沿って回路構成体１０を全周に亘り連続して包囲するように形成されている。
【００２２】
図４には、回路構成体１０に枠本体３１を組み付ける前の状態をあらわす斜視図を示した。枠本体３１は、回路基板１１の周縁のうち下端縁及び左右両側縁に沿うように概ね「コ」字形をなしている。詳しくは、この枠本体３１は、回路基板１１の傾斜縁部に沿う傾斜枠部３２Ｓと、回路基板１１の下縁のうち傾斜縁部よりも右方の領域に沿う下枠部３２Ｂと、回路基板１１の左右両端縁に沿う左右両枠部３２Ｌ,３２Ｒとを備えている。なお、下枠部３２Ｂは、第２端子部１４Ｂよりも下方位置に配されるようになっている。
【００２３】
この枠本体３１の左右両枠部３２Ｌ，３２Ｒにおける上端部には、それぞれ取付台３３が設けられている。各取付台３３は上下方向にやや長い直方体状をなし、その表面は平坦な面とされている。この取付台３３のほぼ中央位置には裏ビス孔３３Ａが形成されている。
【００２４】
そして、枠本体３１には、この左右両取付台３３同士（即ち、枠本体３１における枠構成体６０と連結する側の端部同士）を連結した形態の第１連結部３４Ａが形成されている。第１連結部３４Ａは、第１端子部１４Ａの支持部１５Ａに対して下方（回路基板１１側であり、接続部１６Ａとは反対側）から当接する位置に配されている。この第１連結部３４Ａには、各支持部１５Ａと対応する位置毎に、第１連結部３４Ａの長さ方向に対し略直角方向をなす板状の補強部３５が形成されている。
【００２５】
また、枠本体３１には、右枠部３２Ｒの下端に近い位置と傾斜枠部３２Ｓのほぼ中央位置とを連結した形態であって、下枠部３２Ｂと略平行をなす第２連結部３４Ｂが形成されている。第２連結部３４Ｂは、第２端子部１４Ｂの支持部１５Ｂに対して上方（回路基板１１側であり、接続部１６Ｂとは反対側）から当接する位置に配されている。
【００２６】
この枠本体３１の上側には枠構成体６０が取り付けられている。図５には、枠構成体６０の正面図を、図６には、枠本体３１に枠構成体６０と第２コネクタハウジング８０とを組み付ける前の状態をあらわす斜視図を示した。枠構成体６０はヒューズボックスとして機能するものであり、回路基板１１の上端縁に沿って配置され、枠本体３１およびカバー５０の上側を全長にわたって覆うとともに、その表側部分がカバー５０よりも表面方向に突出する横長形状に形成されている。
【００２７】
枠構成体６０内には、上下方向に貫通する複数のキャビティ６１Ａ，６１Ｂが表裏２段に分かれて左右方向に並列して形成され、表側のキャビティ６１Ａおよび裏側のキャビティ６１Ｂ内には、それぞれランス６２Ａ,６２Ｂが形成されている。裏側のキャビティ６１Ｂには、第１端子部１４Ａの接続部１６Ａが下方から挿入されており、この第１端子部１４Ａは、接続部１６Ａに形成されている係止孔１７Ａがランス６２Ｂに係止されることにより、抜止め状態に保持されている（図１８を併せて参照）。そして、枠構成体６０のうち、裏側のキャビティ６１Ｂよりも裏方の部分６０Ａは、第１端子部１４Ａの接続部１６Ａの裏方の空間（即ち、接続部１６Ａと放熱板４０との間の空間）に配されている。
【００２８】
また、枠構成体６０の上端部には、表側のキャビティ６１Ａと裏側のキャビティ６１Ｂとに連通するヒューズ収容空間６３が形成されている。このヒューズ収容空間６３内において、裏側のキャビティ６１Ｂから突出している第１端子部１４Ａの接続部１６Ａと、表側のキャビティ６１Ａから突出している後述の端子金具７６のヒューズ接触部７６Ａとがヒューズ（図示せず）によって接続されるようになっている。
【００２９】
そして、枠構成体６０の表面には、裏側に浅く凹んだ嵌合凹部６４が形成されている。嵌合凹部６４は左右方向に横長であるとともに、表方及び下方（回路基板１１側）へ開放された形態をなしている。嵌合凹部６４を形成している周面において上側の面からは、当接部６５が下方へ向けて延出されている。この当接部６５は板状をなし、その幅寸法は嵌合凹部６４の幅寸法よりも狭くされている。また、この当接部６５の板厚寸法は、嵌合凹部６４の凹み深さよりも小さくされ、当接部６５の裏側面と嵌合凹部６４との間には隙間が空けられており、後述する第１コネクタハウジング７０の嵌合板部７２が装着可能とされている。なお、当接部６５において左右方向中央部には、その下端縁から上方へ向けて左右一対のスリットが切り込まれており、この一対のスリット間が表裏方向へ弾性撓み可能なロックアーム６５Ａとされている。また、嵌合凹部６４の左右両端部には、軸線を表裏方向に向けた一対の雌ネジ孔６４Ａが形成されている。
【００３０】
枠構成体６０の幅方向において中央位置よりもやや左側寄り位置には、保持溝６６が形成されている。保持溝６６は嵌合凹部６４の裏方に形成され、その横断面形状（枠構成体６０に対する第１コネクタハウジング７０の組付け方向と略直交する断面形状）は表裏方向に「逆Ｔ字」形、即ち「凸字」形をなし、表端は嵌合凹部６４と連通している。また、保持溝６６は、第１コネクタハウジング７０の組付け方向（即ち、上下方向）に穿孔され、下側が開口しており、その内面は第１コネクタハウジング７０の組付け方向と略平行をなしている。
【００３１】
枠構成体６０の左右両端部における表裏方向ほぼ中央位置には、取付片６７がそれぞれ形成されている。各取付片６７は、枠構成体６０の下面から下方に延出した上下方向に長い略長方形の板状をなし、枠本体３１の取付台３３の表面に表側から当接可能とされている。各取付片６７のほぼ中央位置、言い換えると、取付台３３の裏ビス孔３３Ａと対応する位置には表ビス孔６７Ａが形成されている。この表ビス孔６７Ａおよび裏ビス孔３３Ａ位置において、取付台３３および取付片６７はビス止めされ、枠構成体６０と枠本体３１とが固定されている。
【００３２】
枠構成体６０に設けられた左右両取付片６７のうち、左側の取付片６７Ｌには受け部６８が設けられている。受け部６８は、左取付片６７Ｌにおける右側の端縁に沿って、その表面から表方に突設された壁状をなしている。この受け部６８の左右方向の寸法、つまり壁厚寸法はほぼ一定の寸法とされており、左右両側面はほぼ平行をなしている。
【００３３】
また、受け部６８は、その下端部を除き上下にわたってほぼ一定寸法突出しており、その突出端、すなわち受け部６８の表側端は、取付片６７の表面とほぼ平行をなしている。この受け部６８は、後述の第１コネクタハウジング７０が組み付けられた状態で、表側端が第１コネクタハウジング７０の裏面にほぼ当接する位置まで突出されている。なお、受け部６８の下端部は、下方に向かって徐々に突出寸法が小さくなる傾斜部とされている。
【００３４】
この枠構成体６０および枠本体３１、すなわち枠体３０は、接着剤（図示せず）により放熱板４０の表面に固着されている。
【００３５】
放熱板４０は金属製であって、回路基板１１と概ね相似形であるとともに回路基板１１よりも一回り大きい形状をなす板本体４１と、板本体４１の上端縁から裏面側上方へ段差状に延出する板状のブラケット４２とを一体形成したものである。板本体４１の表面には、バスバー１２の裏面が接着剤（図示せず）により固着され、回路基板１１およびバスバー１２（第１および第２端子部１４Ａ，１４Ｂを含む）は、放熱板４０の周縁から外方へ突出することなく、表裏方向に視た放熱板４０の投影面内に配置されている。なお、ブラケット４２を介して、電気接続箱１はボルト（図示せず）により車体に固定されるようになっている。
【００３６】
また、枠体３０には、第１コネクタハウジング７０（本発明の「コネクタハウジング」に相当する）および第２コネクタハウジング８０が組み付けられている。
【００３７】
第２コネクタハウジング８０は、枠体３０の下端部に組み付けられている。この第２コネクタハウジング８０は合成樹脂製であって、図６に示すように、下方に開口するとともに左右に仕切られた形態のハウジング８１を備えている。第２コネクタハウジング８０は、下枠部３２Ｂの表面に組み付けられ、その左右両端部においてビスにより固定されている。そして、ハウジング８１の天井壁を上側から下側に貫通した第２端子部１４Ｂの接続部１６Ｂがハウジング８１内に収容されている。なお、第２コネクタハウジング８０は第２連結部３４Ｂよりも下方位置に配されている。
【００３８】
枠体３０の上部には第１コネクタハウジング７０が組み付けられている。図７には、枠構成体６０に第１コネクタハウジング７０を組み付ける前の状態をあらわす斜視図を、図８および図９には、第１コネクタハウジング７０の側断面図および背面図を示した。第１コネクタハウジング７０は合成樹脂製であって、下方に開口する左右２つの筒状嵌合部７１を備え、ここに外部コネクタ（図示せず）を嵌合することができるようになっている。また、第１コネクタハウジング７０は、その上面から上方に突出する横長の嵌合板部７２を備えている。嵌合板部７２において枠構成体６０の当接部６５に対応する部分には、表面を浅く凹ませた形態の逃がし凹部７３が形成され、この逃がし凹部７３において当接部６５のロックアーム６５Ａに対応する位置にはロック突起７３Ａが形成されている。そして、嵌合板部７２は、枠構成体６０の嵌合凹部６４に対して表裏左右方向（組付け方向と直交する方向）へのガタつきなく嵌合されている。また、嵌合板部７２の左右両端部には、軸線を表裏方向に向けた一対のビス孔７２Ａが形成されている。
【００３９】
嵌合板部７２の裏側において中央位置よりもやや左側寄り位置には、保持突起７４が形成されている。保持突起７４は、第１コネクタハウジング７０の上面から上方へ、すなわち第１コネクタハウジング７０の組付け方向に沿って突出する形態をなしている。保持突起７４の横断面形状（枠構成体６０に対する第１コネクタハウジング７０の組付け方向と直交する断面形状）は、枠構成体６０の保持溝６６と同じく「逆Ｔ字」形」、即ち「凸字」形をなし、その表端は嵌合板部７２の裏面に連なっている。保持突起７４の外面は第１コネクタハウジング７０の組付け方向と略平行をなしており、保持突起７４は、枠構成体６０の保持溝６６内に表裏左右方向のガタ付きなく嵌入可能とされている。これにより、第１コネクタハウジング７０の組み付け過程において、枠構成体６０に対する第１コネクタハウジング７０の姿勢が一定に保たれるから、第１コネクタハウジング７０の姿勢の傾きに起因して組み付け作業に支障を来たすことが防止される。また、保持突起７４と保持溝６６との嵌合によって、第１コネクタハウジング７０が枠構成体６０に対して正規の組み付け位置へ案内されるので、組付けの作業性に優れている。そして、保持突起７４と保持溝６６との嵌合により、第１コネクタハウジング７０は、その上部において、枠構成体６０に対し組み付け方向と交差する方向（表裏左右方向）への相対変位を規制された状態で保持されている。なお、保持突起７４および保持溝６６の横断面形状が「略Ｔ字」形をなすので、例えば、「Ｉ字形」断面のものと比較すると、保持突起７４の剛性が高くなっている。
【００４０】
第１コネクタハウジング７０の裏側端には、各筒状嵌合部７１の下縁及び左右両縁に沿って外向き水平（枠体３０に対するカバー５０の組付け方向と直角な方向）に張り出す係止部７５が形成されている。この係止部７５は、両筒状嵌合部７１の間の部分及び筒状嵌合部７１よりも左右外方の部分にも形成されている。なお、この係止部７５のうち、筒状嵌合部７１の左縁から左方に張り出されている左係止部７５Ｌにおいて、枠構成体６０の取付片６７に形成された表ビス孔６７Ａに対し同軸上に配される部分は、外周縁から筒状嵌合部７１側に凹む半円弧状に切り欠かれている（図１０を併せて参照）。
【００４１】
この第１コネクタハウジング７０には複数本の端子金具７６が装着されている。端子金具７６は、金属板材を曲げ加工したものであり、全体として上下方向に細長い形状をなしている。端子金具７６の略上半領域は、第１端子部１４Ａの接続部１６Ａとほぼ同形状のヒューズ接触部７６Ａとされ、端子金具７６の略下半領域は、第２端子部１４Ｂの接続部１６Ｂと同様にタブ状をなす出力用接触部７６Ｂとされている。この端子金具７６は、出力用接触部７６Ｂを下方に向けて第１コネクタハウジング７０に対し上方から圧入されており、出力用接触部７６Ｂが筒状嵌合部７１内に収容されるとともにヒューズ接触部７６Ａが第１コネクタハウジング７０の上方に突出された姿勢で第１コネクタハウジング７０に装着されている（図１６を併せて参照）。
【００４２】
かかる第１コネクタハウジング７０は枠構成体６０に対して下方から組み付けられている。図１０および図１１には、第１コネクタハウジング７０が組み付けられた状態をあらわす斜視図および正面図を示した。第１コネクタハウジング７０は、第１端子部１４Ａよりも表側（回路基板１１とは反対側）に配されている。そして、第１コネクタハウジング７０の上方に突出しているヒューズ接触部７６Ａは枠構成体６０の表側のキャビティ６１Ａに下方から差し込まれ、ヒューズ接触部７６Ａに形成されているランス係止孔７７は表側のキャビティ６１Ａ内のランス６２Ａに係止されて抜止め状態に保持されている。このとき、第１コネクタハウジング７０は、その上部において、枠構成体６０に対し組み付け方向と交差する方向（表裏左右方向）への相対変位を規制された状態で保持されているから、この端子金具７６の変形は防止される。
【００４３】
また、嵌合板部７２は枠構成体６０の嵌合凹部６４に、当接部６５は嵌合板部７２の逃がし凹部７３にそれぞれ嵌合され、ロックアーム６５Ａがロック突起７３Ａに係止し、もって第１コネクタハウジング７０は枠構成体６０に対して組付け状態にロックされている。そして、第１コネクタハウジング７０は、嵌合板部７２の左右両端部に形成されたビス孔７２Ａ位置においてカバー５０のビス孔５４Ａを介して表側から貫通されたビスにより枠構成体６０に固定されており、嵌合板部７２と嵌合凹部６４との嵌合部（第１コネクタハウジング７０の枠体３０への取付部）において枠構成体６０に取り付けられている。
【００４４】
このとき、左係止部７５Ｌの裏面には、枠構成体６０に設けられた受け部６８の表側端が当接している。詳しくは、受け部６８の表側端は、左係止部７５Ｌの張り出し方向におけるほぼ真中位置に、裏側（ケース２０における内側）から当接した状態となっている。
【００４５】
枠体３０には、枠体３０の表側の開口を塞ぐようにカバー５０が組み付けられている。図１２には、枠体３０にカバー５０を組み付ける前の状態をあらわす斜視図を示した。カバー５０は合成樹脂製であって、全体として回路基板１１とほぼ相似形であるとともに回路基板１１よりも一回り大きい形状をなしている。
【００４６】
カバー５０の上縁部には、第１コネクタハウジング７０に備えられている２つの筒状嵌合部７１との干渉を回避するための切欠部５１が左右一対形成されている。この切欠部５１は、カバー５０の上端縁を下方に切欠いて形成されたものであり、概ね方形をなしている。そして、切欠部５１を形成している周縁部は、第１コネクタハウジング７０において外方に張り出している係止部７５に対し、表側から（即ち、枠構成体６０に対する第１コネクタハウジング７０の組付け方向と直角な方向から）当接しており、この周縁部が係止部７５に係止する押え部５２とされている（図２参照）。また、周縁部における下側の縁部は、筒状嵌合部７１の下端面に対し下方から（即ち、枠構成体６０に対する第１コネクタハウジング７０の組付け方向と同じ方向から）当接しており、この縁部が、第１コネクタハウジング７０の下方への変位を規制する規制部５３となっている。
【００４７】
そして、カバー５０の上端部には、表面側へ立ち上がる固定部５４が左右一対形成され、各固定部５４には、軸線を表裏方向に向けたビス孔５４Ａが形成されている。この固定部５４は第１コネクタハウジング７０の表面側に当接しており、表側からビス孔５４Ａにビス（図示せず）がねじ込まれている。ビスは固定部５４のビス孔５４Ａおよび第１コネクタハウジング７０のビス孔７２Ａを貫通して枠構成体６０の雌ネジ孔６４Ａに達しており、各固定部５４位置においてカバー５０、第１コネクタハウジング７０および枠構成体６０が固定されている。
【００４８】
なお、カバー５０の左右両側縁には、左右両側縁に沿って上下方向に細長く延びる係止リブ５５が設けられ、係止リブ５５には弾性係止片５６が形成されている。この弾性係止片５６が枠本体３１の左右両外側面に形成されている係止突起３６に係止しており、かかるカバー５０は、枠体３０に対し組付け状態にロックされている。
【００４９】
次に、電気接続箱１の組み付け手順を説明する。
最初に、回路構成体１０を組み上げる。図１３には、回路基板１１にスイッチング部材１３を実装している様子をあらわす側断面図を示した。まず、スイッチング部材１３が実装されていない回路基板１１とバスバー１２とを接着剤（図示せず）により固着し、次いでバスバー１２と放熱板４０とを接着する。このとき、回路基板１１にはスイッチング部材１３が実装されていないので、回路基板１１の表面を広い領域に亘って押圧することにより、バスバー１２と放熱板４０とを強固に接着することができる。そして、回路基板１１にスイッチング部材１３を実装し、これにより、回路構成体１０が概ね組み上げられる。
【００５０】
次に、回路構成体１０に枠本体３１を取り付ける。図１４には、回路構成体１０に枠本体３１を組み付ける前の状態をあらわす側断面図を、図１５には、枠本体３１に枠構成体６０と第２コネクタハウジング８０とを組み付ける前の状態をあらわす側断面図を示した。まず、放熱板４０に対し表面側から枠本体３１を接近させつつ、接着剤（図示せず）により固着する。そして、枠本体３１を固着した後、枠本体３１に対し上方から枠構成体６０を接近させつつ組み付けることで、第１端子部１４Ａの接続部１６Ａが裏側のキャビティ６１Ｂに挿入されるとともに、枠構成体６０のうち裏側のキャビティ６１Ｂよりも裏方の部分６０Ａが、第１端子部１４Ａと放熱板４０との間の空間（第１端子部１４Ａよりも裏側の空間）に配置される。そして、枠構成体６０と放熱板４０ならびに枠構成体６０と枠本体３１とがそれぞれ接着剤（図示せず）により固着され、もって枠体３０が構成される。尚、本実施形態では、枠本体３１を枠構成体６０よりも先に放熱板４０に対し固着したが、枠本体３１よりも先に枠構成体６０を接着してもよい。このように、枠本体３１と枠構成体６０とを別々に組み付けることができるので、枠構成体６０を第１端子部１４Ａの上側に配置させることに支障はない。
【００５１】
こうして回路基板１１を全周に亘って包囲する枠体３０が構成されるとともに、回路基板１１とバスバー１２とを裏面側から覆う放熱板４０が枠体３０に固定された後、枠体３０と放熱板４０とによって構成された凹部内に防水用の充填材（図示せず）を注入する。充填材は、バスバー１２における第１端子部１４Ａと第２端子部１４Ｂとを除いた領域（即ち、回路基板１１の裏面に沿って配索されている領域）と、回路基板１１の全体と、回路基板１１におけるスイッチング部材１３との接触部分を覆い、これにより、回路基板１１とバスバー１２とスイッチング部材１３との導通部分に対する浸水や異物の干渉が防止される。
【００５２】
そして、第２コネクタハウジング８０を枠本体３１に組み付けるとともに、第２端子部１４Ｂを第２コネクタハウジング８０に保持させ、第２コネクタハウジング８０と枠本体３１とをビスにより組付け状態にロックする。
【００５３】
この後、枠構成体６０に対して第１コネクタハウジング７０を組み付ける。図１６には、枠構成体６０に第１コネクタハウジング７０を組み付ける前の状態をあらわす側断面図を示した。まず、第１コネクタハウジング７０の上方に突出しているヒューズ接触部７６Ａを枠構成体６０の表側のキャビティ６１Ａ内に挿入させつつ、枠構成体６０に対して第１コネクタハウジング７０を組み付ける。すると、枠構成体６０のロックアーム６５Ａと第１コネクタハウジング７０のロック突起７３Ａとの係止により、第１コネクタハウジング７０と枠構成体６０とは組付け状態にロックされる。また、枠構成体６０の嵌合凹部６４に第１コネクタハウジング７０の嵌合板部７２が嵌合されるとともに、嵌合凹部６４に形成された当接部６５が嵌合板部７２に形成された逃がし凹部７３に表側から嵌合される。
【００５４】
最後に、カバー５０を取り付ける。図１７には、枠体３０にカバー５０を組み付ける前の状態をあらわす側断面図を、図１８には、組付け状態をあらわす側断面図を示した。まず、カバー５０を表面側から枠体３０に組み付け、弾性係止片５６と係止突起３６との係止により組付け状態にロックさせる。そして、ビスによりカバー５０と第１コネクタハウジング７０と枠構成体６０とを固定する。このカバー５０により、回路基板１１およびスイッチング部材１３が覆い隠される。このとき、第１コネクタハウジング７０の係止部７５に対して、カバー５０の押え部５２が表側から当接するとともに、規制部５３が第１コネクタハウジング７０の下面に下側から、すなわち押え部５２が係止部７５に係止する方向と略直交する方向から当接した状態となる。また、第１コネクタハウジング７０の係止部７５に対して、枠構成体６０の受け部６８が裏側から、すなわち押え部５２が係止部７５に係止する方向とは逆方向から当接した状態となっており、第１コネクタハウジング７０の係止部７５は、表側からは押え部５２によって、下側からは規制部５３によって、裏側からは受け部６８によって、つまり３方向からそれぞれ当接された状態となっている。
【００５５】
次に、上記のように構成された本実施形態の作用および効果について説明する。
第１コネクタハウジング７０は枠構成体６０に対し嵌合板部７２位置において片持ち支持状態に取り付けられているため、この取付部（嵌合板部７２と嵌合凹部６４との嵌合部）を支点として第１コネクタハウジング７０が表裏方向（枠構成体６０に対する第１コネクタハウジング７０の組付け方向と交差する方向）へ傾動することが懸念される。しかし、本実施形態では、第１コネクタハウジング７０に係止部７５が設けられ、この係止部７５にはカバー５０の押え部５２が表側から当接している。これにより、第１コネクタハウジング７０は、係止部７５位置において表側への変位を規制され、もって枠構成体６０への取付部を支点として傾動することが規制される。したがって、第１コネクタハウジング７０は、枠体３０に対して正規の組み付け状態に保持される。
【００５６】
また、カバー５０の規制部５３が第１コネクタハウジング７０の下面に対し下方から当接した状態となっているため、第１コネクタハウジング７０は下方、すなわち、押え部５２が係止部７５に係止する方向と略直交する方向（枠構成体６０に対する第１コネクタハウジング７０の組付け方向において枠構成体６０から離間する方向）への変位を規制されている。こうして、第１コネクタハウジング７０は、カバー５０の押え部５２と規制部５３とにより、表側および下側への変位、つまり２方向への変位を規制されているから、１方向への変位のみ規制されるのに比べ、より確実に正規の組み付け状態に保持される。
【００５７】
さらに、枠構成体６０に形成された当接部６５が、第１コネクタハウジング７０に対し表方向、すなわち、押え部５２が係止部７５に係止する方向と同じ方向から当接している。こうして、押え部５２および当接部６５とにより、第１コネクタハウジング７０は、その上側（当接部６５側）および下側（筒状嵌合部７１側）の２箇所において表方から押さえ込まれているから、第１コネクタハウジング７０の傾きを確実に防止できる。
【００５８】
加えて、枠構成体６０に形成された受け部６８が、第１コネクタハウジング７０に対し裏方向、すなわち、押え部５２が係止部７５に係止する方向と逆方向から当接している。こうして、第１コネクタハウジング７０の下端部は、受け部６８により、裏側、つまりケース２０の内部側への変位を受け止められている。ここで、第１コネクタハウジング７０の下端部がケース２０の内部側に変位すると、この下端部がケース２０内に収容されている回路構成体１０に接触してしまうおそれがある。しかし、本実施形態の構成によれば、第１コネクタハウジング７０はケース２０の内側への傾動を規制されているから、このような事態を回避できる。
【００５９】
以上説明したように本実施形態によれば、カバー５０を枠体３０に取り付けた状態では、カバー５０の押え部５２が第１コネクタハウジング７０の係止部７５に係止することにより、第１コネクタハウジング７０は、枠体３０への取付部を支点として傾動することが規制され、枠体３０に対して正規の組み付け状態に保持される。
【００６０】
さらに、カバー５０の押え部５２と規制部５３とが、第１コネクタハウジング７０に対して略直交する２方向に係止するようにしたので、第１コネクタハウジング７０を、枠体３０に対しより確実に組み付け状態に保持することができる。
【００６１】
また、第１コネクタハウジング７０は、枠構成体６０の当接部６５とカバー５０の押え部５２とによって２箇所で同じ方向に押え込まれるようになっているので、第１コネクタハウジング７０の傾きが確実に防止される。
【００６２】
加えて、第１コネクタハウジング７０は、枠構成体６０の受け部６８によって、押え部５２とは逆方向への変位を受け止められるようになっているので、第１コネクタハウジング７０の傾きがより確実に防止される。
【００６３】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００６４】
（１）上記実施形態では、カバー５０の押え部５２と規制部５３とにより第１コネクタハウジング７０を略直角な２方向から係止するようにしたが、本発明によれば、カバーに規制部を設けず、カバーが押え部のみにおいて第１コネクタハウジングを１方向から押え付けるようにしてもよい。
【００６５】
（２）上記実施形態では、第１コネクタハウジング７０は、枠構成体６０の当接部６５とカバー５０の押え部５２とによって２箇所で同じ方向に押え込まれるようになっているが、本発明によれば、枠構成体には当接部を設けなくても構わず、第１コネクタハウジングがカバーの押え部のみによって押さえ込まれるようになっていてもよい。
【００６６】
（３）上記実施形態では、第１コネクタハウジング７０の係止部７５は、受け部６８によって押え部５２とは逆方向への変位を受け止められるようになっているが、本発明によれば、受け部を設けなくてもよく、例えば第１コネクタハウジングの係止部がカバーの押え部のみによって係止されるようにしてもよい。
【００６７】
（４）上記実施形態では、当接部６５は枠構成体６０に設けられているが、本発明によれば、当接部は、枠本体側に設けられていてもよい。
【００６８】
（５）上記実施形態では、受け部６８は壁状をなしているが、本発明によれば、受け部の形状はこれに限らず、例えば、受け部の表面から表方向へ立ち上がる柱状をなしていてもよい。
【００６９】
（６）上記実施形態では、受け部６８は１箇所のみに設けられているが、本発明によれば、受け部は２箇所以上に設けられていてもよい。
【００７０】
（７）上記実施形態では、受け部６８は枠構成体６０に設けられているが、本発明によれば、受け部は枠本体側に設けられていてもよい。
【図面の簡単な説明】
【００７１】
【図１】本実施形態における電気接続箱の斜視図
【図２】電気接続箱の側断面図
【図３】回路構成体の斜視図
【図４】回路構成体に枠本体を組み付ける前の状態をあらわす斜視図
【図５】枠構成体の正面図
【図６】枠本体に枠構成体と第２コネクタハウジングとを組み付ける前の状態をあらわす斜視図
【図７】枠構成体に第１コネクタハウジングを組み付ける前の状態をあらわす斜視図
【図８】第１コネクタハウジングの側断面図
【図９】第１コネクタハウジングの背面図
【図１０】第１コネクタハウジングが組み付けられた状態をあらわす斜視図
【図１１】第１コネクタハウジングが組み付けられた状態をあらわす正面図
【図１２】枠体にカバーを組み付ける前の状態をあらわす斜視図
【図１３】回路基板にスイッチング部材を実装している様子をあらわす側断面図
【図１４】回路構成体に枠本体を組み付ける前の状態をあらわす側断面図
【図１５】枠本体に枠構成体と第２コネクタハウジングとを組み付ける前の状態をあらわす側断面図
【図１６】枠構成体に第１コネクタハウジングを組み付ける前の状態をあらわす側断面図
【図１７】枠体にカバーを組み付ける前の状態をあらわす側断面図
【図１８】組付け状態をあらわす側断面図
【符号の説明】
【００７２】
１…電気接続箱
１０…回路構成体
２０…ケース
３０…枠体
５０…カバー
５２…押え部
５３…規制部
６５…当接部
６８…受け部
７０…第１コネクタハウジング（コネクタハウジング）
７５…係止部
７６…端子金具
【図１】
2006180686.tif 000003
【図２】
2006180686.tif 000004
【図３】
2006180686.tif 000005
【図４】
2006180686.tif 000006
【図５】
2006180686.tif 000007
【図６】
2006180686.tif 000008
【図７】
2006180686.tif 000009
【図８】
2006180686.tif 000010
【図９】
2006180686.tif 000011
【図１０】
2006180686.tif 000012
【図１１】
2006180686.tif 000013
【図１２】
2006180686.tif 000014
【図１３】
2006180686.tif 000015
【図１４】
2006180686.tif 000016
【図１５】
2006180686.tif 000017
【図１６】
2006180686.tif 000018
【図１７】
2006180686.tif 000019
【図１８】
2006180686.tif 000020